(57)【要約】【課題】防塵カバーの設置ができない場合でも防塵措置を行うことができる滑り振子型免震装置を提供する。【解決手段】滑り振子型免震装置１は、上方に曲率中心がある下側滑動面４を有して下側構造物２に固定される凹面板１０と、下方に曲率中心がある上側滑動面５を有して上側構造物３に固定される凹面板１０と、下側滑動面４上で上側滑動面５を支持する滑動体６と、下側滑動面４及び上側滑動面５の周端縁７の間を閉塞する閉塞部材９とを備える。閉塞部材９は、滑動体６を水平方向に支持する貫通孔１９を有し、スポンジゴムで構成される。【選択図】図１
2019039533.tif 000002
【特許請求の範囲】
【請求項１】
上方に曲率中心が位置する部分球面状の下側滑動面を有して下側構造物に固定される下側部材と、
下方に曲率中心が位置する部分球面状の上側滑動面を有して上側構造物に固定される上側部材と、
下側支持面及び上側支持面を有し、該下側支持面及び該上側支持面を前記下側滑動面及び前記上側滑動面にそれぞれ滑動可能に当接した状態で該下側滑動面と該上側滑動面との間に配置された滑動体とを備えた滑り振子型免震装置であって、
前記下側滑動面と前記上側滑動面との間に配置され、該下側滑動面の周端縁と該上側滑動面の周端縁との間を少なくとも周方向の一部において閉塞する閉塞部材を備えることを特徴とする滑り振子型免震装置。
【請求項２】
前記閉塞部材は、前記滑動体に当接して該滑動体を水平方向に位置決めするための当接面を有するとともに、地震発生時における該滑動体の前記下側支持面及び前記上側支持面と前記下側滑動面及び前記上側滑動面との滑動を妨げない可撓性を有することを特徴とする請求項１に記載の滑り振子型免震装置。
【請求項３】
前記下側滑動面は、その周端縁から立ち上がった周壁面を経て前記下側構造物の上面に接続しており、
前記上側滑動面は、その周端縁から立ち下がった周壁面を経て前記上側構造物の下面に接続しており、
前記閉塞部材は、前記下側滑動面及び前記上側滑動面の周壁面に対し、その周方向の少なくとも一部において接する外周面を有することを特徴とする請求項１又は２に記載の滑り振子型免震装置。
【請求項４】
前記閉塞部材は、スポンジゴムで構成されることを特徴とする請求項１〜３のいずれか１項に記載の滑り振子型免震装置。
【発明の詳細な説明】
【技術分野】
【０００１】
本発明は、地震の振動が伝達するのを抑制する滑り振子型免震装置に関する。
【背景技術】
【０００２】
従来、このような滑り振子型の免震装置は、下側構造物上で上側構造物を支持し、地震の振動が下側構造物から上側構造物に伝達するのを抑制するために用いられている。この免震装置は、典型的には、下側構造物に固定された部分球面状の下側滑動面と、上側構造物に固定された部分球面状の上側滑動面と、下側滑動面上で上側滑動面を、下側滑動面及び上側滑動面に対して滑動可能な状態で支持する滑動体とを備える（特許文献１〜３参照）。
【０００３】
このような免震装置は、特許文献１及び２では球面滑り支承と呼ばれており、地震の発生時には、下側滑動面上で上側構造物を支持する滑動体が、上側滑動面及び下側滑動面上を滑動し、地震が収まると振子の原理で元の位置に復帰する。これにより、免震装置は、地震のエネルギーを吸収する減衰機能と、揺れる構造物をもとの位置に戻す復元機能とを果たす。
【０００４】
したがって、かかる機能が地震発生時に正常に発揮されるためには、滑動体が上側滑動面及び下側滑動面上を支障なく滑動し得ることが必要である。そこで、従来の滑り振子型の免震装置では、かかる滑動を妨げるような塵埃などが上側滑動面及び下側滑動面上に侵入するのを防止するために、上側滑動面及び下側滑動面を構成する部材の外周に、ゴム板をバンドで締結した防塵カバーなどを設置するようにしている。
【先行技術文献】
【特許文献】
【０００５】
【特許文献１】特開２０１６−１３８５９２号公報
【特許文献２】特開平１１−３２４３９７号公報
【特許文献３】特開２０００−４６１０４号公報
【発明の概要】
【発明が解決しようとする課題】
【０００６】
しかしながら、建物内の一部分を免震させる部分免震や、既設建物内の一部分を後から免震させる後施工免震を施す箇所に免震装置を設ける際に、下側滑動面及び上側滑動面が下側構造物の上面及び上側構造物の下面に埋め込まれた板状部材で構成され、該板状部材の外周面が該上面及び下面から突出していないような場合には、上述のような防塵カバーを設置することができない。
【０００７】
本発明の目的は、かかる従来技術の課題に鑑み、上記のような防塵カバーの設置ができない場合でも防塵措置を行うことができる滑り振子型免震装置を提供することにある。
【課題を解決するための手段】
【０００８】
第１発明に係る滑り振子型免震装置は、
上方に曲率中心が位置する部分球面状の下側滑動面を有して下側構造物に固定される下側部材と、
下方に曲率中心が位置する部分球面状の上側滑動面を有して上側構造物に固定される上側部材と、
下側支持面及び上側支持面を有し、該下側支持面及び該上側支持面を前記下側滑動面及び前記上側滑動面にそれぞれ滑動可能に当接した状態で該下側滑動面と該上側滑動面との間に配置された滑動体とを備えた滑り振子型免震装置であって、
前記下側滑動面と前記上側滑動面との間に配置され、該下側滑動面の周端縁と該上側滑動面の周端縁との間を少なくとも周方向の一部において閉塞する閉塞部材を備えることを特徴とする。
【０００９】
第１発明によれば、下側滑動面の周端縁と上側滑動面の周端縁との間の周方向における必要な少なくとも一部の箇所を閉塞部材によって閉塞することにより、該一部の箇所から塵埃などが下側滑動面や上側滑動面上に侵入するのを防止することができる。これによって、下側滑動面や上側滑動面と滑動体との間の円滑な滑動が塵埃によって妨げられるのを防止し、地震発生時における滑り振子型免震装置の正常な動作を確保することができる。
【００１０】
第２発明に係る滑り振子型免震装置は、第１発明において、前記閉塞部材は、前記滑動体に当接して該滑動体を水平方向に位置決めするための当接面を有するとともに、地震発生時における該滑動体の前記下側支持面及び前記上側支持面と前記下側滑動面及び前記上側滑動面との滑動を妨げない可撓性を有することを特徴とする。
【００１１】
第２発明によれば、閉塞部材が地震発生時における滑動体の滑動を妨げることがないので、地震発生時に、滑り振子型免震装置の本来の機能を支障なく発揮することができる。なお、ここで、可撓性は、塑性変形する場合及び弾性変形する場合の双方における変形のし易さを意味する。
【００１２】
一方、滑り振子型免震装置の復元機能が確実に行われるためには、滑動体を上側滑動面及び下側滑動面の中心に配置する必要がある。このため、免震装置を設置する際には、従来、下側滑動面の中心位置を測定して滑動体をその中心位置に配置し、滑動体がその位置から移動しないように注意しながら上側滑動面を配置する必要がある。
【００１３】
この点、第２発明によれば、滑り振子型免震装置を設置する際には、下側滑動面に閉塞部材を配置し、さらに閉塞部材の当接面に当接するように滑動体を配置するだけで、滑動体を容易に下側滑動面上で水平方向に位置決めして支持することができる。そして、上側滑動面を配置するときには、閉塞部材により滑動体が下側滑動面上で水平方向に位置決めして支持されているので、滑動体が下側滑動面上で支持位置からずれないように注意する必要はなく、容易に上側滑動面を下側滑動面上に配置することができる。
【００１４】
第３発明に係る滑り振子型免震装置は、第１又は第２発明において、
前記下側滑動面は、その周端縁から立ち上がった周壁面を経て前記下側構造物の上面に接続しており、
前記上側滑動面は、その周端縁から立ち下がった周壁面を経て前記上側構造物の下面に接続しており、
前記閉塞部材は、前記下側滑動面及び前記上側滑動面の周壁面に対し、その周方向の少なくとも一部において接する外周面を有することを特徴とする。
【００１５】
第３発明によれば、閉塞部材の外周面が下側滑動面及び上側滑動面の周壁面とその周方向の少なくとも一部において接しているので、下側滑動面及び上側滑動面の該一部に対応する周端縁の間から塵埃などが下側滑動面や上側滑動面上に侵入するのを効果的に防止し、滑り振子型免震装置の機能をより確実に維持することができる。
【００１６】
第４発明に係る滑り振子型免震装置は、第１〜第３のいずれかの発明において、前記閉塞部材は、スポンジゴムで構成されることを特徴とする。
【００１７】
第４発明によれば、閉塞部材がスポンジゴムで構成されるので、地震発生時に、閉塞部材によって、滑動体が上側滑動面及び下側滑動面との間で滑動するのを妨げられることがない。したがって、滑り振子型免震装置の機能を確実に発揮することができる。
【図面の簡単な説明】
【００１８】
【図１】本発明の一実施形態に係る滑り振子型免震装置を下側構造物と上側構造物との間に設置した様子を示す断面図である。
【図２】図２Ａは、図１の滑り振子型免震装置の下側滑動面及び上側滑動面を構成する凹面板の平面図であり、図２Ｂはその側面図である。
【図３】図１の滑り振子型免震装置の滑動体の平面図である。
【図４】図１の滑り振子型免震装置の閉塞部材の平面図である。
【図５】図５Ａ〜図５Ｄは、それぞれ本発明で用い得る閉塞部材の変形例を示す断面図である。
【図６】図６Ａは図１の滑り振子型免震装置の滑動体の別の例を示す断面図であり、図６Ｂはその平面図である。
【図７】図７Ａは、滑り振子型免震装置を四隅に適用した上側構造物を下側から見た様子を示す。図７Ｂは、この滑り振子型免震装置を適用した下側構造物及び上側構造物の一部の側面図である。
【発明を実施するための形態】
【００１９】
以下、図面を用いて本発明の実施形態を説明する。図１に示すように、本発明の一実施形態に係る滑り振子型免震装置１は、下側構造物２上で上側構造物３を支持し、地震の振動が下側構造物２から上側構造物３に伝達するのを抑制するものである。
【００２０】
図１では、下側構造物２と上側構造物３との間の１つの滑り振子型免震装置１が示されている。滑り振子型免震装置１は、下側構造物２と上側構造物３との間の必要な複数の箇所に設けられる。
【００２１】
滑り振子型免震装置１は、下側構造物２に固定されて下側滑動面４を有する下側部材と、上側構造物３に固定されて下側滑動面４に対峙する上側滑動面５を有する上側部材と、下側滑動面４上で上側滑動面５を滑動可能な状態で支持する滑動体６とを備える。
【００２２】
滑動体６は、下側支持面６ａ及び上側支持面６ｂを有し、下側支持面６ａ及び上側支持面６ｂを下側滑動面４及び上側滑動面５にそれぞれ滑動可能に当接した状態で下側滑動面４と上側滑動面５との間に配置される。下側滑動面４の周端縁７と上側滑動面５の周端縁７とは一定の間隔を有して上下方向に離れている。
【００２３】
下側滑動面４と上側滑動面５との間には、下側滑動面４の周端縁７と上側滑動面５の周端縁７との間に位置して両周端縁７の間を閉塞する外周部８を有する円盤状の閉塞部材９が配置される。
【００２４】
下側滑動面４は上方に曲率中心を有する部分球面状の面であり、上側滑動面５は下方に曲率中心を有する部分球面状の面である。下側滑動面４及び上側滑動面５は、これらの間の水平面について対称な形状を有する。双方の曲率中心を通るラインは、滑り振子型免震装置１の中心軸線ＡＸを構成する。
【００２５】
図２Ａは、上述の下側滑動面４を有する下側部材及び上側滑動面５を有する上側部材のそれぞれを構成する凹面板１０の平面図であり、図２Ｂはその側面図である。凹面板１０は、例えば、ステンレス製の板材をシャーリング加工して得られる厚さ１ｍｍで３５０ｍｍ角程度の正方形のステンレス板をプレス加工して得られる。ステンレス板の材質としては、例えばＳＵＳ３０４を用いることができる。
【００２６】
凹面板１０は、上記プレス加工により中央部に形成された下側滑動面４又は上側滑動面５と、その周囲部分１１とを有する。周囲部分１１の周囲の４辺には、それぞれ上記のプレス加工により生じたヒケ１２を有する。
【００２７】
下側滑動面４及び上側滑動面５は、これらの面上を滑動体６が滑るときの摩擦抵抗を減少させるために、低摩擦係数を有するポリテトラフルオロエチレン等の材料を用いて形成してもよい。また、比較的大きい揺れが生じてから滑動体６が滑り始めるような特性（トリガ特性）を有するように、静摩擦抵抗と動摩擦抵抗とが有意に異なる材料を用いて形成してもよい。
【００２８】
また、周囲部分１１の裏面の各角部の近傍には、雄ねじが設けられたスタッドボルト１３がＣＤ方式溶接により固定される。スタッドボルト１３は、凹面板１０を下側構造物２や上側構造物３の表面にモルタルで埋め込んで取り付ける際に、凹面板１０が表面から容易に外れてしまうのを防止する役割を有する。下側滑動面４及び上側滑動面５は、例えば２０００ｍｍ程度の曲率半径を有し、３１０ｍｍ程度の周端縁７における直径を有する。
【００２９】
凹面板１０の上側滑動面５又は下側滑動面４の部分の周端縁７と周囲部分１１との間は、上記のプレス加工に伴って形成された周壁面１４となっている。すなわち、滑り振子型免震装置１では、図１のように、下側滑動面４が、その周端縁７から立ち上がった周壁面１４を経て下側構造物２の上面１５に接続し、上側滑動面５は、その周端縁７から立ち下がった周壁面１４を経て上側構造物３の下面１６に接続する。下側構造物２の上面１５と上側構造物３の下面１６との間の間隔は、例えば１５ｍｍ程度である。
【００３０】
図３は滑動体６の平面図である。滑動体６は、例えば、直径が５５ｍｍ、高さが４５ｍｍ程度であり、上側支持面６ｂには、複数の穴１８が設けられ、各穴１８には固体潤滑剤が埋め込まれている。上側支持面６ｂは上側滑動面５と同じ曲率半径を有する。滑動体６の下側支持面６ａも同様の形態を有する。
【００３１】
図４は閉塞部材９の平面図である。同図に示すように、閉塞部材９の中心部には、滑動体６を水平方向に位置決めするための当接面を構成する貫通孔１９が設けられる。貫通孔１９の直径は滑動体６の直径と同じ程度である。図１のように、閉塞部材９の外周部８は、下側滑動面４及び上側滑動面５の周壁面１４に接する外周面２０を有する。
【００３２】
閉塞部材９を構成する材料は、地震発生時における滑動体６と下側滑動面４及び上側滑動面５との滑動を妨げないように、可撓性を有する材質のもの、例えばスポンジゴムで構成される。すなわち、閉塞部材９は、滑り振子型免震装置１の機能を損なうことなく変形し、塵埃が下側滑動面４や上側滑動面５に侵入するのを防止できるものであればよい。
【００３３】
スポンジゴムの具体例としては、天然スポンジゴム、クロロプレンスポンジゴム、エチレンプロピレンスポンジゴム、ニトリルスポンジゴム、シリコンスポンジゴム、スチレンブタジエンスポンジゴムを挙げることができる。
【００３４】
閉塞部材９は、スポンジゴム以外の他の可撓性を有する材料や、弾性変形可能な材料などで構成することもできる。ただし、地震発生時に破壊されて、その破片が滑動体６の滑動を妨げるようなものは除かれる。
【００３５】
滑り振子型免震装置１の設置は、例えば、次のようにして行われる。まず、必要な数の下側滑動面４用の凹面板１０を所定の箇所に埋め込んだ下側コンクリート板と、下側コンクリートの各凹面板１０に対応する上側滑動面５用の凹面板１０を所定の箇所に埋め込んだ上側コンクリート板を用意する。この下側コンクリート板及び上側コンクリート板は、上述の下側構造物２及び上側構造物３を構成する。
【００３６】
次に、下側コンクリート板の各凹面板１０の上に閉塞部材９を配置し、その貫通孔１９に滑動体６を配置する。これにより、滑動体６が貫通孔１９により水平方向に支持されるので、滑動体６が凹面板１０の中心に対して容易に位置決めされる。
【００３７】
次に、各上側滑動面５用の凹面板１０の中央部が、対応する下側滑動面４用の凹面板１０上の滑動体６で上下方向に支持されるようにしながら、上側コンクリート板を下側コンクリート板の上方に配置する。これにより、下側コンクリート板及び上側コンクリート板が、例えば１５ｍｍ程度の間隔を置いて対峙した状態となり、滑り振子型免震装置１の設置が完了する。
【００３８】
地震が発生した場合には、上側構造物３と下側構造物２との間に、水平方向にずれる方向の力が働く。これにより、上側構造物３及び下側構造物２が、各下側滑動面４及び対応する上側滑動面５との間の滑動体６を介して振子状に相対的に揺れ動く。この振子状の揺動によって、滑り振子型免震装置１による免震機能が発揮される。
【００３９】
この間、下側滑動面４と上側滑動面５との間の閉塞部材９は容易に変形するので、免震機能を阻害することはない。地震が収まると、各下側滑動面４、上側滑動面５及び滑動体６の機能と上側構造物３に働く重力の作用により、各下側滑動面４と、これに対応する上側滑動面５とが、これらの中心軸線が一致するように位置決めされる。これにより、上側構造物３と下側構造物２との位置関係が地震発生前の状態に復帰する（復元機能）。
【００４０】
以上のように、本実施形態によれば、閉塞部材９が下側滑動面４の周端縁７と上側滑動面の周端縁７との間を閉塞する。これにより、両周端縁７の間から塵埃などが下側滑動面４や上側滑動面５上に侵入して下側滑動面４や上側滑動面５と滑動体６との間の円滑な滑動が妨げられるのを防止することができる。したがって、地震が発生した場合に滑り振子型免震装置１が確実に動作するように、その免震機能及び復元機能を長期間維持することができる。
【００４１】
また、閉塞部材９は、滑動体６を支持する貫通孔１９を有するので、滑り振子型免震装置１を設置する際には、下側滑動面４に閉塞部材９を配置し、その貫通孔１９に滑動体６を配置することにより、容易に滑動体６を下側滑動面４の中心に配置することができる。
【００４２】
そして、下側滑動面４の上に上側滑動面５を配置するときには、閉塞部材９により滑動体６が下側滑動面４の中心に維持される。これにより、滑動体６が下側滑動面４の中心からずれないように特に注意する必要はなく、容易に上側滑動面５を下側滑動面４の上方に配置することができる。
【００４３】
また、閉塞部材９の外周面２０が下側滑動面４及び上側滑動面５の周壁面１４と接しているので、下側滑動面４及び上側滑動面５の周端縁７の間から塵埃などが下側滑動面４や上側滑動面５上に侵入するのを効果的に防止することができる。これにより、滑り振子型免震装置１の機能を長期にわたり、確実に維持することができる。
【００４４】
以上、本発明の実施形態について説明したが、本発明はこれに限定されない。例えば、図１の閉塞部材９は、断面形状が矩形状であるが、その他の断面形状、例えば図５Ａ〜図５Ｄに示すような断面形状を有する閉塞部材であってもよい。これらの閉塞部材は、いずれも、それぞれの断面形状を中心軸線ＡＸの周りに回転させた回転体の形状を有する。
【００４５】
図５Ａの閉塞部材９ｂは、下側滑動面４及び上側滑動面５における滑動体６が接する部分以外の全面を覆う形状を有する。閉塞部材９ｂの中心部には、下側滑動面４から上側滑動面５に達する貫通孔１９ｂが、滑動体６を収容し、水平方向に支持するために設けられる。
【００４６】
図５Ｂの閉塞部材９ｃは、中心部において下側滑動面４から上側滑動面５に達する円筒状部材２１と、円筒状部材２１の外面に接する孔部を有する円盤状部材２２とを有する。円筒状部材２１の内部には、滑動体６が収容され、水平方向に支持される。
【００４７】
図５Ｃの閉塞部材９ｄは、下側が図５Ａの閉塞部材９ｂと同様の断面形状を有する。閉塞部材９ｄの上側は、図５Ｂの円筒状部材２１と円盤状部材２２とが一体であると考えた場合の閉塞部材９ｃと同様の断面形状を有する。
【００４８】
図５Ｄの閉塞部材９ｅは、図１の円盤状の閉塞部材９を上下に２分割したような断面形状を有し、中心部に滑動体６が配置される貫通孔１９ｃを有する。ただし、閉塞部材９ｅの周縁部は、下側滑動面４及び上側滑動面５の周縁部に接し、下側滑動面４の周端縁と上側滑動面５の周端縁との間をより効果的に閉塞する。なお、閉塞部材９ｅは、３分割以上としてもよい。
【００４９】
また、下側滑動面４と上側滑動面５との間に配置される滑動体としては、図３の滑動体６に代えて、図６Ａ及び図６Ｂに示すような滑動体２３を用いてもよい。この滑動体２３は、円柱状の本体２４と、本体２４の上面及び下面にそれぞれ設けられた円盤状の滑り材２５とで構成される。下面側の滑り材２５の表面は、下側滑動面４に当接する下側支持面２５ａを構成する。上面側の滑り材２５の表面は、上側滑動面５に当接する上側支持面２５ｂを構成する。
【００５０】
本体２４は、樹脂又は鋼材で形成される。滑り材２５は、ポリテトラフルオロエチレン等で形成される。滑り材２５は、本体２４の上面及び下面に形成された凹部に埋め込むことによって本体２４に設けられる。
【００５１】
また、上述の凹面板１０を構成するステンレス製の板材の厚さや大きさ、下側滑動面４及び上側滑動面５の曲率、滑動体６の直径や高さなどの各部の寸法や各部の材質は、上記の例に限らず、下側構造物２及び上側構造物３の重量や、免震の目的とする振動の振動数、振幅などに応じて、適宜選択される。
【００５２】
また、閉塞部材は、下側滑動面４の周端縁７と上側滑動面５の周端縁７との間を周方向の必要な一部において閉塞するものであってもよい。この場合、閉塞部材の外周面は、下側滑動面４及び上側滑動面５の周壁面１４に対し、その周方向の当該一部に対応する部分において接する。すなわち、閉塞部材は、完全な円盤状ではなく、外周部の一部が省略されたものであってもよい。
【００５３】
図７Ａは、このような閉塞部材を用いた滑り振子型免震装置３１を四隅に適用した上側構造物３を下側から見た様子を示す。図７Ｂは、この滑り振子型免震装置３１を適用した下側構造物２及び上側構造物３の一部の側面図である。この滑り振子型免震装置３１は、閉塞部材の構成のみが図１の滑り振子型免震装置１と異なり、他の点については同様である。
【００５４】
図７Ａ及び図７Ｂのように、下側構造物２及び上側構造物３の各組の凹面板１０の間に、閉塞部材９ｆ及び滑動体６が配置される。各閉塞部材９ｆは、各四隅の角部側のみを閉塞するように、角部側が、対応する凹面板１０の周壁面１４に沿って円弧状を呈し、角部と反対側の中央部側は省略された形態を有する。
【００５５】
すなわち、各閉塞部材９ｆは、ほぼ扇形状を有し、その要の部分に滑動体６を配置するための貫通孔が設けられたような形状を有する。各閉塞部材９ｆは、下側構造物２及び上側構造物３の四隅の各組の凹面板１０の間に、下側滑動面４及び上側滑動面５の周端縁７（図１参照）の間の該四隅の角部側を閉塞する向きで配置される。
【００５６】
このように、下側構造物２及び上側構造物３の周辺部に複数の滑り振子型免震装置を設置する場合に、各滑り振子型免震装置における下側構造物２及び上側構造物３の周囲に向いた側のみを閉塞部材で閉塞することによって、該周囲の方向からの塵埃の侵入を防止することができる。
【００５７】
また、閉塞部材は、上述の塵埃の侵入を防止する機能及び滑動体を水平方向に支持する機能を有していれば、上下方向に貫通した複数の孔が設けられたものであってもよい。
【００５８】
また、滑動体６、２３を水平方向に位置決めするための当接面は、貫通孔１９、１９ｂ、１９ｃで構成された当接面のように滑動体６、２３の周り全体に当接するものに限定されない。該当接面は、滑動体６、２３を水平方向に位置決めすることができれば、滑動体６、２３の周りの一部に当接するものであってもよい。
【符号の説明】
【００５９】
１、３１…滑り振子型免震装置、２…下側構造物、３…上側構造物、４…下側滑動面、５…上側滑動面、６、２３…滑動体、６ａ、２５ａ…下側支持面、６ｂ、２５ｂ…上側支持面、７…周端縁、８…外周部、９、９ｂ、９ｃ、９ｄ、９ｅ、９ｆ…閉塞部材、１０…凹面板、１１…周囲部分、１２…ヒケ、１３…ＣＤスタッド、１４…周壁面、１５…上面、１６…下面、１８…穴、１９、１９ｂ、１９ｃ…貫通孔、２０…外周面、２１…円筒状部材、２２…円盤状部材、２４…本体、２５…滑り材。
【図１】
2019039533.tif 000003
【図２】
2019039533.tif 000004
【図３】
2019039533.tif 000005
【図４】
2019039533.tif 000006
【図５】
2019039533.tif 000007
【図６】
2019039533.tif 000008
【図７】
2019039533.tif 000009